(57)【要約】【課題】省電力モード中であっても、金銭の搬入開始の信号を受信した場合にすぐに金銭の搬入処理が可能な入出金装置を提供することである。【解決手段】販売データ処理装置と接続され、販売データ処理装置での商品取引に係る金銭の入出金に係る処理を実行する入出金装置であって、前記入出金装置が前記処理を実行するために各種構成が動作可能な通常モードと、前記各種構成が動作不可の省電力モードのいずれかで動作させる動作手段と、前記入出金装置が前記省電力モードで動作中に、前記販売データ処理装置から前記商品取引の締め処理を開始するキーを操作した操作信号を受信した場合に、前記入出金装置を前記通常モードとして前記各種構成の全部または一部を動作可能にする復帰手段と、前記締め処理中に受信した所定の信号に基づいて、動作可能な前記構成を動作させて前記処理を実行する実行手段と、を備える。【選択図】図８
2016189115.tif 000002
【特許請求の範囲】
【請求項１】
販売データ処理装置と接続され、販売データ処理装置での商品取引に係る金銭の入出金に係る処理を実行する入出金装置であって、
前記入出金装置が前記処理を実行するために入出金に係る各種構成が動作可能な通常モードと、前記各種構成の少なくとも一部を機能停止状態とする省電力モードのいずれかで動作させる動作手段と、
前記入出金装置が前記省電力モードで動作中に、前記販売データ処理装置から前記商品取引の決済処理を開始するキーを操作した操作信号を受信した場合に、前記入出金装置を前記通常モードとして前記各種構成の全部または一部を動作させて入金または出金に係る処理を可能にする復帰手段と、
前記決済処理中に受信した所定の信号に基づいて、前記入金または出金処理を実行する実行手段と、
を備えた入出金装置。
【請求項２】
前記各種構成は、前記入出金装置が前記通常モードで動作中は入金および搬送される前記金銭を検知可能であり、前記入出金装置が前記省電力モードで動作中は前記金銭を検知不可である一または複数の入金系のセンサを含み、
前記復帰手段は、前記操作信号を受信した場合に、前記省電力モードで動作中の前記入金系のセンサの全部または一部を動作させて入金に係る処理を可能とする、
請求項１に記載の入出金装置。
【請求項３】
前記各種構成は、前記入出金装置が前記通常モードで動作中は出金される前記金銭を検知可能であり、前記入出金装置が前記省電力モードで動作中は前記金銭を検知不可である一または複数の出金系のセンサを含み、
前記復帰手段は、前記操作信号を受信した場合に前記省電力モードで動作中の前記出金系のセンサを動作させず、前記決済処理中に前記所定の信号を受信した場合に、前記省電力モードで動作中の前記出金系のセンサの全部または一部を動作させて出金に係る処理を可能とする、
請求項１または２に記載の入出金装置。
【請求項４】
前記商品取引の決済処理に係る所定のキーは、前記決済処理の開始時に操作する小計キーである、
請求項１乃至３のいずれか一に記載の入出金装置。
【請求項５】
前記通常モードで動作中に前記販売データ処理装置から当該販売データ処理装置の操作者の不在を検知したことを示す不在信号を受信した場合に、前記入出金装置を前記省電力モードで動作させる、
請求項１乃至４のいずれか一に記載の入出金装置。
【発明の詳細な説明】
【技術分野】
【０００１】
本発明の実施形態は、入出金装置に関する。
【背景技術】
【０００２】
近年、商品取引において顧客との間で受け渡しをする紙幣または硬貨（総称して「金銭」という）を入出金する機能を備えた入出金装置がある。この入出金装置は、ＰＯＳ（Point  of  Sales）端末と接続されており、ＰＯＳ端末の指示によって入出金の処理を実行する。
【０００３】
ところで、入出金装置には、装置が入出金の処理可能な応対の通常モードと、一定の機能を停止して消費電力を抑える省電力モードを備えたものがある。省電力モードに設定された入出金装置がＰＯＳ端末から入出金処理の指示を受信した場合、入出金装置は、省電力モードから通常モードに切り替えて入出金の処理を実行している。
【０００４】
ところが、省電力モードから通常モードに切り替えたときに、入出金装置は、初期動作等を実行するため、入出金処理の指示を受信してから入出金処理の実行まで時間がかかるという問題がある。
【発明の概要】
【発明が解決しようとする課題】
【０００５】
本発明が解決しようとする課題は、省電力モード中であっても、入金または出金の開始信号を受信してすぐに金銭の入金または出金の処理が実行可能な入出金装置を提供することである。
【課題を解決するための手段】
【０００６】
実施形態の入出金装置は、販売データ処理装置と接続され、販売データ処理装置での商品取引に係る金銭の入出金に係る処理を実行する入出金装置であって、前記入出金装置が前記処理を実行するために入出金に係る各種構成が動作可能な通常モードと、前記各種構成の少なくとも一部を機能停止状態とする省電力モードのいずれかで動作させる動作手段と、前記入出金装置が前記省電力モードで動作中に、前記販売データ処理装置から前記商品取引の決済処理を開始するキーを操作した操作信号を受信した場合に、前記入出金装置を前記通常モードとして前記各種構成の全部または一部を動作させて入金または出金に係る処理を可能にする復帰手段と、前記決済処理中に受信した所定の信号に基づいて、前記入金または出金処理を実行する実行手段と、を備える。
【図面の簡単な説明】
【０００７】
【図１】図１は、実施形態における釣銭機およびＰＯＳ端末の外観を示す斜視図である。
【図２】図２は、ＰＯＳ端末と紙幣釣銭機と硬貨釣銭機の電気的接続関係を示す図である。
【図３】図３は、ＰＯＳ端末のハードウェア構成を示すブロック図である。
【図４】図４は、硬貨釣銭機の筐体を取り外した平面を模式的に示す平面図である。
【図５】図５は、硬貨釣銭機のハードウェア構成を示すブロック図である。
【図６】図６は、ＰＯＳ端末の制御処理の流れの一部を示すフローチャートである。
【図７】図７は、硬貨釣銭機の機能構成を示す機能ブロック図である。
【図８】図８は、ＰＯＳ端末の制御処理の流れの一部を示すフローチャートである。
【図９】図９は、セルフＰＯＳの外観を示す斜視図である。
【発明を実施するための形態】
【０００８】
以下、図１〜図９を参照して、実施形態に係る入出金装置について説明する。実施形態では、硬貨釣銭機を入出金装置の一例として説明する。また、ＰＯＳ（Point  of  Sales）端末を販売データ処理装置の一例として説明する。なお、以下に説明する実施形態によりこの発明が限定されるものではない。
【０００９】
図１は、釣銭機１およびＰＯＳ端末４の外観を示す斜視図である。釣銭機１は、硬貨釣銭機１１および紙幣釣銭機１２を有する。硬貨釣銭機１１は、入金された硬貨を識別して金種別に収納し、収納した硬貨を釣銭として出金する。紙幣釣銭機１２は、入金された紙幣を識別して金種別に収納し、収納した紙幣を釣銭として出金する。
【００１０】
ＰＯＳ端末４は、店舗内にあるストアコントローラ（不図示）にＬＡＮ（Local  Area  Network）で接続されて用いられる。ストアコントローラは、店舗外の本部にあるサーバ（不図示）と専用回線で接続されて、サーバとデータの送受信（商品情報のダウンロードや販売データのアップロードなど）を行う。
【００１１】
ＰＯＳ端末４は、操作者用表示部４７、客用表示部４８、操作部４９、印字部５０、読取部５１、人感センサ５２等を備える。操作者用表示部４７は、操作者に向けて設置され、操作者に情報を表示する表示器（例えば液晶表示器）である。客用表示部４８は、顧客に向けて設置され、顧客に情報を表示する表示器（例えば液晶表示器）である。
【００１２】
操作部４９は、商品を特定するための商品コードや数字等を入力するためのキーボードである。印字部５０は、商品情報（商品名、単価、属性情報等）や後述する決済情報等を、ロール状の用紙に印字してレシートとして発行する、例えばサーマルプリンタ等のプリンタである。読取部５１は、商品に付されたバーコードや二次元コード等のシンボルから商品コードを光学的に読み取るコードリーダである。人感センサ５２は、例えば赤外線センサ等で構成され、ＰＯＳ端末４の操作者用表示部４７の前方に人がいるか否かを検知するセンサである。
【００１３】
ＰＯＳ端末４は、読取部５１により商品に付加された商品コードを読み取ると、この商品コードに基づいて、当該商品に係る商品情報（商品名、単価等）の問合せをストアコントローラ（図示せず）に行う。ストアコントローラは、ＰＯＳ端末４からの問い合わせに応じて商品マスタファイルを検索し、商品コードに対応した商品情報を読み出してＰＯＳ端末４へ送信する。ＰＯＳ端末４は、ストアコントローラから商品情報を受信する。また、ＰＯＳ端末４は、受信した商品情報に基づいて、当該商品コードの商品の売上登録処理を実行する。売上登録処理とは、読み取られた商品コードに基づいて読み出した販売する商品の商品情報を商品情報部４４２（図３を参照）に記憶して、当該商品の商品名や単価を表示部に表示することである。
【００１４】
ＰＯＳ端末４が、一取引に係るすべての商品について売上登録処理を実行した後、ＰＯＳ端末４の操作者は、決済処理の開始の際に操作する小計キーを操作する。決済処理とは、売上登録処理された商品の商品情報に基づいて、販売された商品の合計金額を算出する処理、合計金額に基づいて税額を算出する処理、算出した合計金額と税額を加算した、顧客が支払う支払金額を算出する処理、支払金額を操作者用表示部４７および客用表示部４８に表示する処理、決済情報を印字したレシート発行する処理を等をいう。決済処理によって得られた情報を決済情報という。小計キーが操作されたＰＯＳ端末４は、決済処理を実行する。
【００１５】
硬貨釣銭機１１は、入金部である硬貨入金部１３、硬貨出金部３１を備える。硬貨入金部１３は、顧客から受け取った金銭のうち硬貨を入金する投入口である。硬貨出金部３１は、顧客に支払われる釣銭のうち硬貨を出金する払出口である。
【００１６】
紙幣釣銭機１２は、入金部である紙幣入金部３２、紙幣出金部３３を備える。紙幣入金部３２は、顧客から受け取った金銭のうち紙幣を入金する投入口である。紙幣出金部３３は、顧客に支払われる釣銭のうち紙幣を出金する払出口である。
【００１７】
客用表示部４８に表示された支払金額を確認した顧客は、支払金額に応じた額の金銭を操作者に手渡す。操作者は、顧客から受け取った金銭（預り金）のうち、硬貨を硬貨釣銭機１１の硬貨入金部１３に入金する。また操作者は、顧客から受け取った金銭（預り金）のうち、紙幣を紙幣釣銭機１２の紙幣入金部３２に入金する。硬貨釣銭機１１および紙幣釣銭機１２は、入金された金銭を搬送系（例えば搬送ベルト）を使用して搬入及び搬送し、金銭収納部に収納する。
【００１８】
一方ＰＯＳ端末４は、支払金額と顧客が操作者に手渡した金銭（預り金）との差額から釣銭額を算出する。硬貨釣銭機１１および紙幣釣銭機１２は、釣銭額に基づいた釣銭を出金する。操作者は、硬貨釣銭機１１および紙幣釣銭機１２から出金された釣銭を顧客に手渡す。
【００１９】
図２は、ＰＯＳ端末４と紙幣釣銭機１２と硬貨釣銭機１１の電気的接続関係を示す図である。図２において、ＰＯＳ端末４と紙幣釣銭機１２は、通信回線７によって電気的に接続されている。また、紙幣釣銭機１２と硬貨釣銭機１１は、通信回線８によって電気的に接続されている。ＰＯＳ端末４は、通信回線７を介して紙幣釣銭機１２に釣銭額に応じた釣銭情報を送信する。紙幣釣銭機１２は、受信した釣銭情報に基づいて紙幣分の釣銭を出金する。また、紙幣釣銭機１２は、受信した釣銭情報のうち硬貨分の釣銭情報を、通信回線８を介して硬貨釣銭機１１に送信する。硬貨釣銭機１１は、受信した釣銭情報に基づいて硬貨分の釣銭を出金する。
【００２０】
図３は、実施形態のＰＯＳ端末４のハードウェア構成を示すブロック図である。図３において、ＰＯＳ端末４は、ＣＰＵ（Central  Processing  Unit）４１、ＲＯＭ（Read  Only  Memory）４２、ＲＡＭ（Random  Access  Memory）４３、メモリ部４４等を備えている。ＣＰＵ４１は、制御主体となる。ＲＯＭ４２は、各種プログラムを記憶する。ＲＡＭ４３は、各種データを展開する。メモリ部４４は、各種プログラムを記憶する。ＣＰＵ４１、ＲＯＭ４２、ＲＡＭ４３、メモリ部４４は、互いにデータバス４５を介して接続されている。ＣＰＵ４１とＲＯＭ４２とＲＡＭ４３が、制御部４００を構成する。すなわち、制御部４００は、ＣＰＵ４１がＲＯＭ４２やメモリ部４４に記憶されＲＡＭ４３に展開された制御プログラムに従って動作することによって、図６に示す制御処理を実行する。
【００２１】
メモリ部４４は、電源を切っても記憶情報が保持されるＨＤＤ（Hard  Disc  Drive）やフラッシュメモリ等の不揮発性メモリで構成され、制御プログラム部４４１に記憶された制御プログラムを含むプログラム等を記憶する。また、メモリ部４４は、商品情報部４４２を備える。商品情報部４４２は、一取引で売上登録処理された商品の商品情報を記憶する。また、メモリ部４４は、ＰＯＳ端末４の動作モード（通常モードか省電力モードのいずれか）を記憶する。
【００２２】
また、データバス４５には、コントローラ４６を介して、操作者用表示部４７、客用表示部４８、操作部４９、印字部５０、読取部５１、人感センサ５２が接続されている。操作部４９は、小計キー４７ａ、搬入開始キー４７ｂ、現計キー４７ｃを含む。小計キー４７ａは、後述する決済処理の開始の際に操作し、決済処理の開始を宣言するキーである。搬入開始キー４７ｂは、硬貨釣銭機１１および紙幣釣銭機１２に入金した硬貨の搬入開始を指示するキーである。現計キー４７ｃは、一取引の終了の際操作し、一取引の終了を宣言するキーである。また、データバス４５には、通信部５３が接続されている。通信部５３は、通信回線７を介して、ストアコントローラや紙幣釣銭機１２と接続されている。
【００２３】
図４は、硬貨釣銭機１１の筐体を取り外した平面図である。図４において、硬貨釣銭機１１は、硬貨入金部１３を備える。硬貨入金部１３は、底部に３対の入金センサ２９を有する。硬貨入金部１３は、顧客から受け取った金銭のうち、硬貨を入金する投入口である。３対の入金センサ２９は、それぞれ発光部と受光部とを備えている。発光部が発行した光を受光部が受光する。入金センサ２９は、硬貨入金部１３に入金された硬貨によって発光部が発行した光を遮断して受光部が受光しない場合、入金されたことを検知する。
【００２４】
また、硬貨釣銭機１１は、搬入ベルト１５と搬送ベルト１６（総称して「搬送系」という）を備える。搬入ベルト１５は、硬貨入金部１３の底面部に位置し、硬貨入金部１３に入金された硬貨を硬貨釣銭機１１の内部に搬入する。搬送ベルト１６は、搬入された硬貨を装置の奥側に搬送するベルトと、装置の奥側で略直角に方向転換された硬貨を後述する硬貨選別部１８まで左右方向に搬送するベルトからなる。
【００２５】
搬送ベルト１６によって硬貨を搬送する搬送経路２８の途中には、搬送される硬貨の金種を判別するための３種類のセンサ（材質センサ２２、厚さセンサ２３、直径センサ２４）を備える。３種類のセンサはいずれも磁気センサである。材質センサ２２は硬貨の材質を検知する。厚さセンサ２３は硬貨の厚さを検知する。直径センサ２４は、硬貨の直径を検知する。後述する制御部６００は、３種類のセンサの検知結果に基づいて、通過する硬貨の金種を判別する。
【００２６】
例えば、材質センサ２２は、硬貨の材質によって出力電圧が異なり、厚さセンサ２３は硬貨の厚さが厚いほど出力電圧は高くなり、直径センサ２４は、直径が大きい硬貨ほど出力電圧が高くなるため、これらのセンサからの出力電圧を検知することで、制御部６００は、硬貨の金種を識別することができる。
【００２７】
また、硬貨釣銭機１１は、搬送経路２８の途中に、贋硬貨を排出するためのリジェクト部２５が設けられており、リジェクトシャッター２６を開閉させて贋硬貨のみを排出する。後述する制御部６００は、３種類のセンサの検知結果に基づいて、通過する硬貨の真贋を判断し、贋硬貨であると判断した場合は、リジェクトシャッター２６を開放してリジェクト部２５から贋硬貨を排出する。
【００２８】
また、硬貨釣銭機１１は、装置奥側に、硬貨選別部１８を備える。硬貨選別部１８は、１円硬貨用の選別孔〜５００円硬貨用の孔の大きさが異なる６個の選別孔を有しており、１円硬貨用の選別孔は１円硬貨のみが落下可能でありその他の硬貨はその上部を通過する。同様にして、硬貨選別部１８は、右側から左側に向けて１円硬貨用の孔、５０円硬化用の孔、５円硬貨用の孔、１００円硬貨用の孔、１０円硬貨用の孔、５００円硬化用の孔が形成されている。搬送ベルト１６によって搬送された硬貨は、この硬貨選別部１８によって金種別に選別される。
【００２９】
硬貨選別部１８は、各選別孔付近に、それぞれ落下センサ２０を備えている。落下センサ２０は、落下する硬貨を検出する。後述する制御部６００は、落下センサ２０による硬貨の検出に基づいて、落下した硬貨の数を金種毎に数えて管理する。
【００３０】
また、硬貨釣銭機１１は、金種毎の硬貨収納部１９を備える。硬貨収納部１９は、硬貨選別部１８を落下した硬貨を金種毎に収納する。硬貨収納部１９の底面部には出金ベルト２７を備えている。出金ベルト２７は、表面部が硬貨収納部１９から硬貨釣銭機１１の前面部に向かって移動し、硬貨収納部１９に収納された硬貨を硬貨出金部３１方向に搬送する。各出金ベルト２７の下流端部には、出金センサ２１をそれぞれ備える。出金センサ２１は、出金ベルト２７によって硬貨出金部３１に出金される直前の硬貨を検出する。後述する制御部６００は、出金センサ２１による硬貨の検出に基づいて、硬貨出金部３１に出金された硬貨の数を金種毎に数えて管理する。
【００３１】
また、硬貨釣銭機１１は、例えばエラーメッセージ等を表示する表示部３０、硬貨回収等の指示をしたり表示部３０の表示項目を変更する等で操作される操作ボタン１７等を備えている。
【００３２】
図５は、硬貨釣銭機１１のハードウェア構成を説明するブロック図である。図５において、制御主体となるＣＰＵ６１、各種プログラムを記憶するＲＯＭ６２、各種データを展開するＲＡＭ６３、各種プログラムおよびデータを記憶するハードディスクからなるメモリ部６４等を備えている。ＣＰＵ６１、ＲＯＭ６２、ＲＡＭ６３、メモリ部６４は、互いにデータバス６５を介して接続されている。ＣＰＵ６１とＲＯＭ６２とＲＡＭ６３が制御部６００を構成する。すなわち、制御部６００は、ＣＰＵ６１がＲＯＭ６２またはメモリ部６４に記憶されＲＡＭ６３に展開した制御プログラムに従って動作することによって、図７および図８で後述する制御処理を実行する。
【００３３】
メモリ部６４は、制御プログラム部６４１とモード記憶部６４２を備える。制御プログラム部６４１は、制御部６００が硬貨釣銭機１１の各種処理を実行するための制御プログラムを記憶する。モード記憶部６４２は、硬貨釣銭機１１の動作モード（通常モードか省電力モードのいずれか）を記憶する。
【００３４】
また、データバス６５には、操作ボタン１７、表示部３０、搬入ベルト１５、搬送ベルト１６、出金ベルト２７、リジェクトシャッター２６、入金センサ２９、材質センサ２２、厚さセンサ２３、直径センサ２４、落下センサ２０、出金センサ２１が、コントローラ６６を介して接続されている。入金センサ２９、材質センサ２２、厚さセンサ２３、直径センサ２４、落下センサ２０で入金系を構成する。また、材質センサ２２、厚さセンサ２３、直径センサ２４、落下センサ２０が搬送センサである。また、搬入ベルト１５、搬送ベルト１６で搬送系を構成する。また、出金センサ２１、出金ベルト２７で出金系を構成する。また、表示部３０は、液晶表示器であり、表示部３０に表示される文字等を見やすくするために、表示部３０の背面から光を照射するバックライト３０ａを備えている。
【００３５】
各センサは、それぞれ発光部と受光部を備えている。発光部は、光を発光する。また、受光部は発光部が発光した光を受光する。制御部６００は、各センサを別々に動作させることができる。
【００３６】
また、データバス６５には、通信部６７が接続されている。通信部６７は、インターフェースの機能を備えている。通信部６７は、通信回線８に接続されている。通信部６７は、通信回線８を介して紙幣釣銭機１２から釣銭情報等を受信する。通信部６７は、通信回線８を介して紙幣釣銭機１２に、硬貨釣銭機１１の入金情報を送信する。
【００３７】
硬貨釣銭機１１は、通常モードと省電力モードの２種類のモードで動作する。通常モードでは、硬貨釣銭機１１がＰＯＳ端末４から情報を受信可能であり、各センサや搬送系等の全部または一部に通電され、通電された各部が動作可能であり、制御部６００が、入金された硬貨の収納処理や釣銭の出金処理を実行可能であるモードである。また、省電力モードでは、硬貨釣銭機１１にあるすべてのセンサや搬送系への通電が停止されており、各センサや搬送系が動作不可である。また、省電力モードでは、表示部３０に表示された表示およびバックライト３０ａの照射も停止する。そのため硬貨釣銭機１１は、省電力モードで動作している場合、通常モードの場合より消費電力が少ない。なお、通信部６７は省電力モードであっても動作可能である。そのため通信部６７は、省電力モードであっても紙幣釣銭機１２から情報を受信することは可能である。また、制御部６００は、省電力モードであっても通信部６７が受信した情報の種別を判断することができる。
【００３８】
硬貨釣銭機１１は、ＰＯＳ端末４から、人感センサ５２が人を検知していない旨の人非検知信号を受信した場合、省電力モードで動作する。また硬貨釣銭機１１は、所定時間継続して何の操作もされない非動作状態の場合、省電力モードで動作する。
【００３９】
なお、紙幣釣銭機１２も、硬貨釣銭機１１と同様に、入金系、搬送系、出金系の各構成を備えている。具体的には、入金された紙幣を検知する入金センサ、紙幣の金種を判別する金種判別センサ、紙幣が収納部に収納されたことを検知する収納センサ、出金した紙幣を検知する出金センサを備えている。また、入金された紙幣を搬入し収納部に搬送する搬送ベルトや、収納部に収納された紙幣の出金する出金ベルトを備えている。
【００４０】
続いて、図６を用いて、制御部４００が実行するＰＯＳ端末４の制御処理について説明する。図６において、制御部４００は、読取部５１によって商品に付された商品コードを入力したか否かを判断する（Ｓ１１）。読み取ったと判断した場合は（Ｓ１１のＹｅｓ）、制御部４００は、読み取った商品コードに基づいて商品マスタから商品情報を読み出して商品情報部４４２に記憶する売上登録処理を実行する（Ｓ１２）。そして制御部４００は、Ｓ１１に戻る。
【００４１】
一方、商品コードを入力していないと判断した場合は（Ｓ１１のＮｏ）、制御部４００は、小計キー４７ａが操作されたか否かを判断する（Ｓ２１）。操作されたと判断した場合は（Ｓ２１のＹｅｓ）、制御部４００は、支払金額算出処理を実行する（Ｓ２２）。具体的には、制御部４００は、商品情報部４４２に記憶された商品情報に基づいて販売された商品の合計金額を算出する。また制御部４００は、算出された合計金額に基づいて例えば消費税等の税額を算出する。また制御部４００は、算出された合計金額と税額を加算して、顧客が本取引で支払う支払金額を算出する。また制御部４００は、算出した合計金額、税額、支払金額を、操作者用表示部４７と客用表示部４８に表示する。
【００４２】
そして制御部４００は、小計キー４７ａが操作されたことを示す小計信号（操作信号）を、通信回線７を介して紙幣釣銭機１２に送信する（Ｓ２３）。省電力モードで動作中の紙幣釣銭機１２が小計信号を受信した場合は、自身を通常モードの状態に復帰させる。そして紙幣釣銭機１２は、通信回線８を介して、受信した小計信号（操作信号）を硬貨釣銭機１１に送信する。
【００４３】
その後制御部４００は、操作者によって搬入開始キー４７ｂが操作されたか否かを判断する（Ｓ２４）。操作者は、顧客から支払金額に応じた金銭を受け取ると、当該金銭のうち、紙幣分を紙幣入金部３２にセットして入金する。また操作者は、当該金銭のうち、硬貨分を硬貨入金部１３に投入して入金する。入金した後担当者は、搬入開始キー４７ｂを操作する。
【００４４】
操作されたと判断した場合（Ｓ２４のＹｅｓ）、制御部４００は、搬入開始キー４７ｂが操作されたことを示す搬入開始信号を、紙幣釣銭機１２に送信する（Ｓ２５）。ＰＯＳ端末４が送信した搬入開始信号を受信した紙幣釣銭機１２は、紙幣の搬入処理と搬送処理を実行する。そして紙幣釣銭機１２は、通信回線８を介して、受信した搬入開始信号を硬貨釣銭機１１に送信する。
【００４５】
そして制御部４００は、硬貨釣銭機１１および紙幣釣銭機１２から、入金された金銭の入金額に応じた入金情報（硬貨釣銭機１１での入金額と紙幣釣銭機１２での入金額を合計した入金額に応じた入金情報）を受信したか否かを判断する（Ｓ２６）。受信したと判断した場合は（Ｓ２６のＹｅｓ）、制御部４００は、受信した入金情報に応じた入金額を操作者用表示部４７と客用表示部４８に表示する（Ｓ２７）。操作者用表示部４７と客用表示部４８に入金額が表示され、顧客が入金額を確認したら、操作者は現計キー４７ｃを操作する。
【００４６】
次に制御部４００は、現計キー４７ｃが操作されたか否かを判断する（Ｓ２８）。操作されたと判断した場合は（Ｓ２８のＹｅｓ）、制御部４００は、Ｓ２２で算出した支払金額とＳ２６で受信した入金情報に応じた入金額から、釣銭額を算出する（Ｓ２９）。そして制御部４００は、算出した釣銭額の釣銭情報を紙幣釣銭機１２に送信する（Ｓ３０）。釣銭情報を受信した紙幣釣銭機１２は、釣銭額のうち紙幣の支払額分の紙幣を出金する。そして、紙幣釣銭機１２は、釣銭額のうち硬貨での支払額分の釣銭情報を硬貨釣銭機１１に送信する。
【００４７】
なお、搬入開始キー４７ｂが操作されていないと判断した場合（Ｓ２４のＮｏ）、制御部４００は、Ｓ２６を処理する。また、入金情報を受信していないと判断した場合は（Ｓ２６のＮｏ）、制御部４００は、Ｓ２８の処理を実行する。また、現計キー４７ｃが操作されていないと判断した場合は（Ｓ２８のＮｏ）、制御部４００は、Ｓ２４に戻る。
【００４８】
次に制御部４００は、販売された商品の商品情報やＳ２２の処理に基づく合計金額、支払金額、釣銭額等を、印字部５０で印字したレシートを発行する（Ｓ３１）。そして制御部４００は、Ｓ１１に戻る。なお、Ｓ２２の処理〜Ｓ３１の処理を総称して決済処理という。
【００４９】
また、Ｓ２１において、小計キー４７ａが操作されていないと判断した場合は（Ｓ２１のＮｏ）、制御部４００は、人感センサ５２が、ＰＯＳ端末４の操作位置の前方付近で人を検知しているか否かを判断する（Ｓ４１）。検知していると判断した場合は（Ｓ４１のＹｅｓ）、制御部４００はＳ１１に戻る。検知していないと判断した場合は（Ｓ４１のＮｏ）、制御部４００は、検知していないままの状態が所定時間継続したか否かを判断する（Ｓ４２）。所定時間継続していないと判断した場合は（Ｓ４２のＮｏ）、制御部４００は、Ｓ１１に戻る。所定時間継続したと判断した場合は（Ｓ４２のＹｅｓ）、制御部４００は、ＰＯＳ端末４の操作位置の前方付近に人がいないことを示す人非検知信号を紙幣釣銭機１２に送信する（Ｓ４３）。そして制御部４００は、動作モードを、省電力モードに設定する（Ｓ４４）。次に制御部４００は、Ｓ４１と同様の人を検知しているか否かを判断する（Ｓ４５）。検知するまで待機し（Ｓ４５のＮｏ）、検知したと判断した場合は（Ｓ４５のＹｅｓ）、制御部４００は、動作モードを通常モードに設定する（Ｓ４６）。そして制御部４００は、Ｓ１１に戻る。
【００５０】
なお、人非検知信号を受信した紙幣釣銭機１２は、自身の動作モードを省電力モードに設定する。そして紙幣釣銭機１２は、受信した人非検知信号を硬貨釣銭機１１に送信する。
【００５１】
続いて、図７と図８を用いて、硬貨釣銭機１１の制御処理について説明する。図７は、硬貨釣銭機１１の機能構成を示す機能ブロック図である。制御部６００が、ＲＯＭ６２やメモリ部６４の制御プログラム部６４１に記憶された制御プログラムを含む各種プログラムに従うことで、動作手段６０１、復帰手段６０２、実行手段６０３を機能させる。
【００５２】
動作手段６０１は、硬貨釣銭機１１が入出金処理を実行するために入出金に係る各種構成が動作可能な通常モードと、各種構成の少なくとも一部を機能停止状態とする省電力モードのいずれかで動作させる機能を有する。
【００５３】
復帰手段６０２は、硬貨釣銭機１１が省電力モードで動作中に、ＰＯＳ端末４から商品取引の決済処理を開始する小計キー４７ａを操作した操作信号を受信した場合に、硬貨釣銭機１１を通常モードとして各種構成の全部または一部を動作させて入金または出金に係る処理を可能にする機能を有する。
【００５４】
実行手段６０３は、決済処理中に受信した搬入開始信号に基づいて、入金または出金処理を実行する機能を有する。
【００５５】
図８は、硬貨釣銭機１１の制御処理の流れを示すフローチャートである。図８において、制御部６００は、紙幣釣銭機１２から人非検知信号を受信したか否かを判断する（Ｓ５１）。受信したと判断した場合（Ｓ５１のＹｅｓ）、制御部６００（動作手段６０１）は、入金系、出金系、搬送系、表示部３０、バックライト３０ａへの通電を停止し、各部の処理や表示を実行不可状態とする省電力モード処理を実行する（Ｓ５２）。このとき、制御部６００は、ＣＰＵ６１、ＲＯＭ６２、ＲＡＭ６３、メモリ部６４、通信部６７等への通電は継続する。そのため、硬貨釣銭機１１は、紙幣釣銭機１２からの各種情報や信号の受信は可能である。また、制御部６００は、通信部６７が受信した情報や信号の種類を判断することができる。
【００５６】
そして制御部６００は、モード記憶部６４２に省電力モードを記憶する（Ｓ５３）。そして制御部６００は、Ｓ５１に戻る。
【００５７】
また、紙幣釣銭機１２から人非検出信号を受信していないと判断した場合は（Ｓ５１のＮｏ）、制御部６００は、硬貨釣銭機１１の操作ボタン１７が操作されていない時間が所定時間継続したか否かを判断する（Ｓ５４）。所定時間継続していると判断した場合は（Ｓ５４のＹｅｓ）、制御部６００は、Ｓ５２とＳ５３の処理を実行する。
【００５８】
一方、所定時間継続していないと判断した場合は（Ｓ５４のＮｏ）、制御部６００は、紙幣釣銭機１２から小計信号を受信したか否かを判断する（Ｓ６１）。受信したと判断し場合（Ｓ６１のＹｅｓ）、制御部６００は、モード記憶部６４２に記憶されている動作モードが省電力モードであるか否かを判断する（Ｓ６２）。
【００５９】
省電力モードであると判断した場合は（Ｓ６２のＹｅｓ）、制御部６００（復帰手段６０２）は、表示部３０とバックライト３０ａに通電し表示とバックライトの照射を復帰させる（Ｓ６３）。次に制御部６００（復帰手段６０２）は、すべての入金系に通電する（Ｓ６４）。また制御部６００（復帰手段６０２）は、搬送系にも通電する（Ｓ６５）。また、制御部６００（復帰手段６０２）は、出金系に通電する（６６）。Ｓ６３〜Ｓ６６の処理を初期動作処理という。
【００６０】
通電された入金系、搬送系、出金系は、正しく動作するために、通電後所定時間の初期動作が必要である。初期動作を行った硬貨釣銭機１１は、通常モードで動作可能となる。そのため、制御部６００は、所定時間経過後に硬貨入金部１３に入金された硬貨の検知と搬送が可能となる。
【００６１】
次に制御部６００は、紙幣釣銭機１２から搬入開始信号を受信したか否かを判断する（Ｓ７１）。受信したと判断した場合は（Ｓ７１のＹｅｓ）、次に制御部６００は、入金センサ２９が入金された硬貨を検知しているか否かを判断する（Ｓ７２）。Ｓ６４において入金センサ２９に通電されており、本判断時にはすでに所定時間の初期動作が終了して入金センサ２９は正常に動作可能であるため、制御部６００は、Ｓ７２の判断ができる。
【００６２】
入金センサ２９が入金された硬貨を検知していると判断した場合は（Ｓ７２のＹｅｓ）、制御部６００（実行手段６０３）は、搬送系を動作させて、入金された硬貨の搬入と搬送を行う（Ｓ７３）。このとき、Ｓ６３、Ｓ６４、Ｓ６５においてすでに入金系や搬送系は通電後の所定時間の初期動作が終了しているため、入金系と搬送系はすでに動作可能となっており、Ｓ７３においてすぐに硬貨の搬入と搬送を行える。
【００６３】
そして、硬貨を搬送する際、３種類のセンサ（材質センサ２２、厚さセンサ２３、直径センサ２４）は、通過する硬貨を検知して硬貨に応じて出力する。制御部６００は、この出力に基づいて入金された硬貨の金種を判別し、入金額を算出する（Ｓ７４）。そして制御部６００は、算出した入金額に応じた入金情報を、紙幣釣銭機１２に送信する（Ｓ７５）。紙幣釣銭機１２は、硬貨釣銭機１１から受信した入金情報に基づいて、自身に入金された紙幣の入金額を加算した合計の入金情報を作成し、ＰＯＳ端末４に送信する。
【００６４】
次に制御部６００は、紙幣釣銭機１２から釣銭情報を受信したか否かを判断する（Ｓ８１）。釣銭情報を受信したと判断した場合は（Ｓ８１のＹｅｓ）、制御部６００（実行手段６０３）は、出金ベルト２７を駆動するモータを制御して、受信した釣銭情報に応じた釣銭額の硬貨の出金処理を実行する（Ｓ８２）。そして制御部６００は、モード記憶部６４２に通常モードを記憶する（Ｓ８３）。そして制御部６００は、Ｓ５１に戻る。なお、Ｓ７１において、紙幣釣銭機１２から搬入開始信号を受信していないと判断した場合は（Ｓ７１のＮｏ）、制御部６００はＳ８１を実行する。また、Ｓ８１において、釣銭情報を受信していないと判断した場合は、Ｓ７１に戻る。また、Ｓ６１において、小計信号を受信していないと判断した場合は（Ｓ６１のＮｏ）、制御部６００は、Ｓ５１に戻る。
【００６５】
このような実施形態の硬貨釣銭機１１によれば、省電力モードで動作中に小計信号を受信した場合、制御部６００は、硬貨釣銭機１１を通常モードで初期動作処理を実行する。そして、その後に搬入開始信号を受信した場合に、制御部６００は、入金された硬貨の搬入処理を実行する。このように、硬貨釣銭機１１は、入金前に一連の初期動作を熟考するため、省電力モード中に搬入開始の信号を受信した場合に、すぐに金銭の搬入処理が可能である。
【００６６】
また、実施形態の硬貨釣銭機１１によれば、省電力モードで動作中に小計信号を受信した場合、制御部６００は、入金系に通電して通常モードで動作可能に復帰させる。そのため、省電力モード中に搬入開始の信号を受信した場合に、すぐに金銭の搬入処理が可能である。
【００６７】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更、組み合わせを行うことができる。この実施形態やその変形は、発明の範囲や要旨に含まれるとともに、特許請求の範囲に記載された発明とその均等の範囲に含まれる。
【００６８】
例えば、実施形態では、小計信号を受信した場合に、Ｓ６３〜Ｓ６６の初期動作処理を実行したが、Ｓ６６の初期動作処理は、小計信号をの受信した場合には行わず、その後の搬入開始信号を受信した場合であってもよい。
【００６９】
また、実施形態では、硬貨釣銭機１１を入出金装置として説明したが、紙幣釣銭機１２を入出金装置としてもよい。また、硬貨釣銭機１１と紙幣釣銭機１２の両方の機能を備えた装置を入出金装置としてもよい。
【００７０】
また、実施形態では、ＰＯＳ端末４と釣銭機１を適用したがこれに限るものではなく、ＰＯＳ端末４および釣銭機１の機能を備えた１台構成の装置に適用するようにしても良い。ＰＯＳ端末４および釣銭機１の機能を備えた１台構成の装置としては、スーパーマーケット等の店舗に設置されて用いられるセルフチェックアウト装置（以降、単に「セルフＰＯＳ」という）が挙げられる。
【００７１】
ここで、図９はセルフＰＯＳ２００の構成を示す外観斜視図である。図９に示すように、セルフＰＯＳ２００の本体２０２は、タッチパネル１０５が表面に配設された表示デバイス１０６や、商品の種別等を認識（検出）するために商品画像を読み取る商品読取部１１０を備えている。
【００７２】
表示デバイス１０６としては例えば液晶表示器が用いられる。表示デバイス１０６は、客にセルフＰＯＳ２００の操作方法を知らせるための案内画面や、各種の入力画面や、商品読取部１１０で読み込んだ商品情報を表示する登録画面、商品の合計金額や預かり金額、釣銭額等を表示し、支払い方法の選択をする精算画面等を表示する。
【００７３】
商品読取部１１０は、客が商品に付されたコードシンボルを商品読取部１１０の読取窓１０３にかざすことで商品画像を読み取るものである。
【００７４】
また、本体２０２の右側にはかごに入った未清算の商品を置くための商品載置台２０３が設けられ、本体２０２の左側には精算済みの商品を置くための商品載置台２０４が設けられている。また、商品載置台２０４には、精算済みの商品を入れるための袋を掛けるための袋掛けフック２０５や、精算済みの商品を袋に入れる前に一時的に置いておくための一時置き台２０６が設けられている。商品載置台２０３および２０４には計量器がそれぞれ備えられており、精算の前後で商品の重量が同じであることを確認する機能を有している。
【００７５】
また、セルフＰＯＳ２００の本体２０２には、顧客から受け取った金銭の入金や顧客に手渡す釣銭の出金を行う入出金部２０１が設けられている。
【００７６】
このような構成のセルフＰＯＳ２００を店舗システムに適用した場合、セルフＰＯＳ２００が入出金装置として機能することになる。
【００７７】
なお、実施形態の硬貨釣銭機１１で実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disc）等のコンピュータで読み取り可能な記録媒体に記録されて提供される。
【００７８】
また、実施形態の硬貨釣銭機１１で実行されるプログラムを、インターネット等のネットワークに接続されたコンピュータ上に格納し、ネットワーク経由でダウンロードさせることにより提供するように構成してもよい。また、実施形態の硬貨釣銭機１１で実行されるプログラムをインターネット等のネットワーク経由で提供または配布するように構成してもよい。
【００７９】
また、実施形態の硬貨釣銭機１１で実行されるプログラムを、ＲＯＭ等に予め組み込んで提供するように構成してもよい。
【符号の説明】
【００８０】
４  ＰＯＳ端末
１１  硬貨釣銭機
１２  紙幣釣銭機
２１  出金センサ
２９  入金センサ
４７ａ  小計キー
４７ｂ  搬入開始キー
５２  人感センサ
６００  制御部
６０１  動作手段
６０２  復帰手段
６０３  実行手段
【先行技術文献】
【特許文献】
【００８１】
【特許文献１】特開２０１３−１０１５４２号公報
【図１】
2016189115.tif 000003
【図２】
2016189115.tif 000004
【図３】
2016189115.tif 000005
【図４】
2016189115.tif 000006
【図５】
2016189115.tif 000007
【図６】
2016189115.tif 000008
【図７】
2016189115.tif 000009
【図８】
2016189115.tif 000010
【図９】
2016189115.tif 000011